(57)【要約】【課題】汚物の詰まりを防ぎ、洗浄効率が高まる水洗式便器の提供を目的とする。【解決手段】トラップ入口５から下流側へ向かって上傾したトラップ排水路６を有する水洗式便器１において、トラップ排水路６の上傾した上昇管６Ｐは、洗浄水の排水方向に対し直角の断面の縦寸法がトラップ入口５から下流側へ向け大きくなるように形成されてなり、トラップ入口５は、縦寸法よりも横幅寸法が大きい形状に開口されている。【選択図】図１
2015158128.tif 000002
【特許請求の範囲】
【請求項１】
トラップ入口から下流側へ向かって上傾したトラップ排水路を有する水洗式便器におい
て、
前記トラップ排水路の上傾した上昇管は、洗浄水の排水方向に対し直角の断面の縦寸法
が、トラップ入口から下流側へ向け大きくなるように形成されてなり、
前記トラップ入口は、縦寸法よりも横幅寸法が大きい形状に開口されている
ことを特徴とする水洗式便器。
【請求項２】
前記トラップ入口の手前には、便器後方に向かい排水路の上下が下降傾斜した管状の導
入通路が設けられている
ことを特徴とする請求項１に記載の水洗式便器。
【請求項３】
前記トラップ入口近傍の上流部における排水路方向に対して直角の断面において、
底面両側にある立ち面とを繋ぐアール部は、
前記断面方向の旋回流の流れが立ち面から底面に向かうアール部の曲率半径を、底面か
ら立ち面に向かうアール部の曲率半径より小さくした
ことを特徴とする請求項１または請求項２に記載の水洗式便器。
【請求項４】
前記上昇管における洗浄水の排水方向に対し直角の断面形状は、
前記トラップ入口から下流側の中間部にかけては、断面の縦方向中央より上側が下側よ
り大きい面積となる形状に形成されているとともに、
前記中間部から下流側の頂部の上流側近傍にかけては、断面の縦方向中央より下側が上
側より大きい面積となる形状に形成されている
ことを特徴とする請求項１または請求項３に記載の水洗式便器。
【請求項５】
前記中間部から頂部の上流側近傍に至る間の前記上昇管の内周側面には、縦方向に立ち
上がる立ち面が形成され、該立ち面の高さが前記頂部の上流側近傍で最大の高さとなるよ
うに設定されている
ことを特徴とする請求項４に記載の水洗式便器。
【請求項６】
前記上昇管の内周面を構成する底面は、洗浄水の排水方向に対し直角方向に延びる略平
坦面に形成されている
ことを特徴とする請求項１乃至請求項５何れかに記載の水洗式便器。
【請求項７】
前記トラップ排水路の頂部の上流側近傍には、該トラップ排水路の内周の上面側を膨ら
ませて汚物回転用空間が形成されている
ことを特徴とする請求項１乃至請求項６何れかに記載の水洗式便器。
【請求項８】
前記上昇管の内周面を構成する上面は、洗浄水の排水方向に対し直角方向の中央部から
左右に下向きの略山形状に形成されている
ことを特徴とする請求項１乃至請求項７何れかに記載の水洗式便器。
【請求項９】
サイフォン式便器であることを特徴とする請求項１乃至請求項８何れかに記載の水洗式
便器。
【発明の詳細な説明】
【技術分野】
【０００１】
本発明は、水洗式便器に関するものである。
【背景技術】
【０００２】
従来、特許文献１に開示されているように、下端の導入口から下流側へ向かって上傾し
たトラップ排水路を有する水洗式便器において、導入管路部の導入口が、トラップ排水路
中で最も狭い管路面積に形成されたものが存在する。
【先行技術文献】
【特許文献】
【０００３】
【特許文献１】特開平８−２３２３３０号公報
【発明の概要】
【発明が解決しようとする課題】
【０００４】
上記特許文献１に開示されている水洗便器は、トラップ排水路の上昇部における汚物の
詰まりを防ぐために、トラップ排水路の導入口を狭い管路面積に形成したものであるが、
導入口の管路面積が狭いために、洗浄水を速くスムーズに流すことができないものであっ
た。さらに、トラップ排水路の上昇部の断面積が徐々に大きくなっているため、乱流が起
き易く、抵抗が発生し、洗浄水および汚物をトラップ排水路内にスムーズに流し込むこと
が難しいという問題点があった。
また、トラップ排水路の導入口が縦横方向に狭いため、導入口で詰まりが発生する虞が
あるという問題点があった。
【課題を解決するための手段】
【０００５】
本発明は、汚物の詰まりを防ぎ、スムーズに洗浄できる水洗式便器の提供を目的とし、
この目的の少なくとも一部を達成するために以下の手段を採った。
本発明は、トラップ入口から下流側へ向かって上傾したトラップ排水路を有する水洗式
便器において、
前記トラップ排水路の上傾した上昇管は、洗浄水の排水方向に対し直角の断面の縦寸法
が、トラップ入口から下流側へ向け大きくなるように形成されてなり、
前記トラップ入口は、縦寸法よりも横幅寸法が大きい形状に開口されている
ことを要旨とする。
【発明の効果】
【０００６】
トラップ入口に流入する洗浄水は、トラップ入口の縦方向下側では洗浄水が潜り込むこ
ととなるため、下側の洗浄水の流速は遅く淀みが生じやすく、トラップ入口の縦方向上側
では洗浄水の潜り込みがないために流速は大となる。本発明の水洗式便器では、トラップ
入口の縦寸法を小さくして、下側の流速の遅い部分を小さくし、トラップ入口の横幅寸法
を大きくすることで、流速の速い上側の部分の洗浄水量を多くして、トラップ入口での洗
浄水の流速を良好に確保し、速い速度で洗浄水および汚物をトラップ入口に流し込むこと
ができるため、スムーズな排出が可能となり圧力損出を小さくできる。
また、トラップ入口の縦寸法が小さく横幅寸法が大きく、しかも洗浄水を速い速度で流
せるので、トラップ入口での汚物の詰まりがなくなる。
また、トラップ排水路の上昇管の断面の縦寸法が頂部に向かい大きくなっていくため、
トラップ排水路の汚物の詰まりも起こらない。さらに、トラップ入口の形状により、入口
で整流化され易いため、トラップ排水路の上昇管で乱流が起き難くなる。
【０００７】
また、本発明の水洗式便器において、前記トラップ入口の手前には、便器後方に向かい
排水路の上下が下降傾斜した管状の導入通路が設けられているものとすることもできる。
こうすれば、トラップ入口に向かう導入通路の内周面に沿って洗浄水がトラップ排水路
内に流れ込む際に、洗浄水が徐々に絞られて整流化され、洗浄水の流れがスムーズなもの
となり、トラップ入口の前でしっかり整流化されているため、トラップ排水路の上昇管の
縦寸法を大きくしても乱流が起き難く、スムーズに洗浄水の排出ができる。
【０００８】
また、本発明の水洗式便器において、前記トラップ入口近傍の上流部における排水路方
向に対して直角の断面において、底面両側にある立ち面とを繋ぐアール部は、前記断面方
向の旋回流の流れが立ち面から底面に向かうアール部の曲率半径を、底面から立ち面に向
かうアール部の曲率半径より小さくすることもできる。
こうすれば、トラップ入口に向かう導入通路に流入してきた旋回流が、曲率半径の小さ
なアール部により導入路内にスムーズに流入し、曲率半径の大きなアール部に繋がる立ち
面に衝突することで、旋回流を排水路の下流方向の流れに変化させることができる。これ
により排水方向の洗浄水の流れをスムーズにすることができる。
【０００９】
また、本発明の水洗式便器において、前記上昇管における洗浄水の排水方向に対し直角
の断面形状は、前記トラップ入口から下流側の中間部にかけては、断面の縦方向中央より
上側が下側より大きい面積となる形状に形成されているとともに、前記中間部から下流側
の頂部の上流側近傍にかけては、断面の縦方向中央より下側が上側より大きい面積となる
形状に形成されているものとすることもできる。
こうすれば、トラップ入口から上昇管内に流入する洗浄水は、断面の縦方向中央より下
側では洗浄水が潜り込むこととなるため、下側の洗浄水の流速は遅く淀みが生じ、断面の
縦方向中央より上側では洗浄水の潜り込みがないために流速は大であるため、上昇管にお
けるトラップ入口から中間部にかけては、この流速の速い上側の面積を大きくして、トラ
ップ入口側での洗浄水の流速を良好に確保して、流れをスムーズにすることができる。
また、上昇管における中間部から頂部の上流側近傍にかけては、逆に、洗浄水の流速は
、断面の縦方向中央より下側で速くなり、上側では淀みが生じやすくなるので、この中間
部から下流側の頂部の上流側近傍にかけては、断面の縦方向中央より上側の面積を小さく
絞って、流速の速い下側に多くの洗浄水を流し、この部分での洗浄水の流速を良好に維持
して、上昇管全体としての洗浄水の流速を良好に維持し、洗浄水の流れをスムーズにする
ことができ、上昇管内での圧力損失を少なくすることができるものとなる。
【００１０】
また、本発明の水洗式便器において、前記中間部から前記頂部の上流側近傍に至る間の
前記上昇管の内周側面には、縦方向に立ち上がる立ち面が形成され、該立ち面の高さが前
記頂部の上流側近傍で最大の高さとなるように設定されているものとすることもできる。
こうすれば、上昇管における頂部の上流側近傍で立ち面の高さが最大となり、頂部の上
流側近傍の面積が広がって洗浄水の流れがスムーズとなる。
なお、頂部の上流側近傍の面積が狭いと汚物の詰まりが生じやすくなるため、この部分
の面積を広げて汚物の詰まりを無くすことができるものとなる。
【００１１】
また、本発明の水洗式便器において、前記上昇管の内周面を構成する底面は、洗浄水の
排水方向に対し直角方向に延びる略平坦面に形成されているものとすることもできる。
こうすれば、上昇管の内周を構成する底面側は、洗浄水の流速が大で淀みがないために
、この底側に沿って大量の洗浄水を流し、洗浄水の流速を良好に維持することができるも
のとなる。
【００１２】
また、本発明の水洗式便器において、前記トラップ排水路の頂部の上流側近傍には、該
トラップ排水路の内周の上面側を膨らませて汚物回転用空間が形成されているものとする
こともできる。
こうすれば、頂部の上流側近傍のトラップ排水路内周の汚物回転用空間内で汚物が良好
に回転して、トラップ排水路の頂部を良好に汚物が乗り越えて下流側へ落下することとな
るため、汚物が詰まることがなく、硬く長い汚物でも良好に排出できるものとなる。
【００１３】
また、本発明の水洗式便器において、前記上昇管の内周面を構成する上面は、洗浄水の
排水方向に対し直角方向の中央部から左右に下向きの略山形状に形成されているものとす
ることもできる。
こうすれば、上昇管の内周面を構成する上面側で淀みが生ずることを良好に回避して、
洗浄水をスムーズに流すことができるものとなる。
【００１４】
また、本発明の水洗式便器は、サイフォン式便器であるものとすることもできる。
こうすれば、洗浄水がスムーズにトラップ排水路に流れ込み、少ない水で早期にサイフ
ォンを起動させることができ、節水効果が向上するものとなる。
【図面の簡単な説明】
【００１５】
【図１】サイフォン式水洗便器の縦断面構成図である。
【図２】サイフォン式水洗便器の平面構成図である。
【図３】図１のＡ−Ａ線断面図である。
【図４】図１のＢ−Ｂ線断面図である。
【図５】図１のＣ−Ｃ線断面図である。
【図６】図１のＤ−Ｄ線断面図である。
【図７】図１のＥ−Ｅ線断面図である。
【図８】図１のＦ−Ｆ線断面拡大図である。
【図９】図１のＧ−Ｇ線断面拡大図である。
【図１０】図１のＩ−Ｉ線断面拡大図である。
【図１１】図１のＪ−Ｊ線断面拡大図である。
【図１２】図１のＫ−Ｋ線断面拡大図である。
【図１３】水洗便器における上昇管の部分の変更例である第２実施例を示す拡大断面構成図である。
【図１４】図１３におけるＬ−Ｌ断面図である。
【図１５】図１３におけるＭ−Ｍ断面図である。
【図１６】図１３におけるＮ−Ｎ断面図である。
【図１７】図１３におけるＯ−Ｏ断面図である。
【図１８】図１３におけるＰ−Ｐ断面図である。
【発明を実施するための形態】
【００１６】
次に、本発明を実施するための形態を実施例を用いて説明する。
【実施例１】
【００１７】
図１は、サイフォン式水洗便器の縦断面図を示し、図２は、サイフォン式水洗便器の平
面図を示す。
サイフォン式水洗便器１の便器本体２内には、鉢面３が形成され、この鉢面３に連続し
て底側へ落ち込む立ち面４が形成され、最も深い位置にトラップ入口５が開口されて、こ
のトラップ入口５から、後方側に向かって上傾する逆Ｕ字状のトラップ排水路６が形成さ
れており、トラップ排水路６の下流端には下向きの排水口７が形成され、この排水口７に
、円形状のゴムパッキン１３を介し別体の排水ソケット８が接続されている。
【００１８】
また、便器本体２の上面側には、鉢面３の外周にリム通水路９ａを形成するリム９及び
洗浄段１２が設けられており、また、便器本体２の後部上面側には洗浄水の分配器１０が
配置されて、この分配器１０の一方側の第１流出口１０ａから流出される洗浄水が第１吐
水口１１ａから吐水され、リム通水路９ａを通り、鉢面３上に半時計回りの水平な旋回流
となって供給されるように構成されている。
また、分配器の他方側の第２流出口１０ｂから流出された洗浄水は第２吐水口１１ｂか
ら吐水され、立ち面４後部から連続して後方側へ湾曲凸面状に上傾した上傾面４ａに沿っ
て流下され、直接トラップ入口５へ向かって洗浄水が供給されるように構成されている。
なお、上傾面４ａは、凸状になっており、第２吐水口１１ｂからの洗浄水がトラップ入口
５に向かって流れ落ちるため、水平な旋回流の勢いを便器後部で弱め、且つ、水平な旋回
流を排水方向に対して直角となる縦方向の旋回流にすることができ、これにより、水平な
旋回流の遠心力が小さくなって、汚物が広がらず、縦方向の旋回流により汚物を集めるこ
とができ、スムーズな洗浄水の排出ができるように構成されている。
【００１９】
このように、鉢面３上を旋回して立ち面４内に流下する洗浄水と、上傾面４ａに沿って
流下する洗浄水が、トラップ入口５に集められると、トラップ排水路６内の溜水面Ｗが上
昇し、洗浄水がトラップ排水路６内の頂部６ａを超えて排水口７に流下し、排水ソケット
８に形成されている絞り部８ａで絞られることで、トラップ排水路６内が満水状態となり
、このトラップ排水路６内が満水状態となった時の鉢面３側の溜水面Ｗとの水位差により
排水方向に引き込み力が生じて、このサイフォン作用により良好に汚物を洗浄水とともに
排出することができるものである。
【００２０】
引き続きサイフォン式水洗便器の詳細を図３〜図１２の断面図に従って説明する。
図３は、図１のＡ−Ａ線断面図であり、図４は、図１のＢ−Ｂ線断面図であり、図５は
、図１のＣ−Ｃ線断面図であり、図６は、図１のＤ−Ｄ線断面図であり、図７は、図１の
Ｅ−Ｅ線断面図である。
【００２１】
図３および図４に示すように、便器本体２内の前側の鉢面３の平面視幅方向中央部には
、下方側へ凹ませて凹部３ａが形成され、凹部３ａの平面視幅方向両端には、凸状の凸部
３ｂが連続して形成され洗浄段１２に至っている。なお、凸部３ｂは凹部３ａよりも曲率
半径が小さく設定されている。
凹部３ａは、後方側（立ち面４側）へ向かって徐々に深さを増して傾斜しており、この
凹部３ａにより、鉢面３上での小便の跳ね返りを良好に防げるように構成されている。ま
た、この凹部３ａにより、鉢面３上の洗浄水の旋回が早期に止められ、洗浄水は凹部３ａ
に沿って立ち面４側へ流れ込むこととなる。
【００２２】
図１および図５〜図７に示す立ち面４は、下方側へ向かって垂直状あるいは溜水面Ｗ側
へ膨らんだ凸面状に形成されており、立ち面４の全周が垂直状または溜水面Ｗ側へ膨らむ
凸面状となっている。即ち、立ち面４は溜水面Ｗの外周に立ち上げられており、鉢面３上
を旋回する洗浄水を早期にこの立ち面４に沿って流下させ、洗浄水を速くトラップ入口５
に向かわせるように構成されており、この立ち面４により、汚物を外側へ広がることなく
、速くトラップ入口５に集めることができる。
なお、立ち面４の上部には全周に亘って、立ち面４に向かって湾曲凸面状のアール部Ｒ
が形成され、便器後部の上傾面４ａもアール部Ｒの一部となっている。
このアール部Ｒの曲率半径は上傾面４ａが最も小さくなっている。即ち、便器の後部で
は、第２吐水口１１ｂからの洗浄水をトラップ入口５に向かって流れ落とすために曲率半
径は小さい方が良いからである。一方、便器の前部では、アール部Ｒの曲率半径は大きい
ため、立ち面４内に落ちた旋回流が再び立ち面４を登り外側に広がるのを防いで、洗浄水
を速くトラップ入口５に向かわせるようにしてある。
【００２３】
立ち面４内の溜水面Ｗの平面視形状は、図２に示すように、前後方向に長い略楕円形と
なっている。
なお、この溜水面Ｗの平面視形状において前方側の曲率半径Ｒ２が最も大きく設定され
ており、この曲率半径Ｒ２が大きい前方部の左右側の立ち面４で洗浄水を跳ね返して、洗
浄水をトラップ入口５に向かわせるように構成されている。
また、溜水面Ｗの前後方向中央よりも前側に、平面視最大横幅を有するＰ点が存在する
ように設定されており、鉢面３から立ち面４に沿って溜水面Ｗに流れ落ちる洗浄水が、曲
率半径Ｒ２が大きい前方側の部分で跳ね返されて、Ｐ点以降は後方のトラップ入口５に近
づくにつれて速度を増して集められるように構成されている。これにより、トラップ入口
５に洗浄水および汚物が速く流れ込むこととなり、少ない洗浄水で汚物をトラップ入口５
に集めてサイフォンを速く起動させることができる。
【００２４】
なお、トラップ入口５の断面形状は、図８（図１のＦ−Ｆ線断面図である。）に示すよ
うに、上面および底面が略水平形状となっており、上方の角部は角ばっていて下方の角部
は丸く、全体として略Ｄ形状になっている。このトラップ入口５は、縦寸法よりも横幅寸
法が大きい形状に開口されたものであり、このトラップ入口５の縦寸法ａは５０ｍｍとな
っており、横幅寸法ｂは７７ｍｍとなっている。
このように縦寸法よりも横幅寸法を大きくしたことにより、トラップ入口５内にスムー
ズに洗浄水および浮遊物等が流れ込むこととなり、早期にサイフォンを起動させることが
できるものとなる。
即ち、トラップ入口５では、流れ込む洗浄水の縦方向下部部位は、下側へもぐり込むこ
とで速度が遅くなり淀みができるため、縦寸法ａは短いものとして横幅寸法ｂを広げれば
、その分、流れ込む洗浄水の速度の速い上部部位の面積が増えることとなるため、洗浄水
をスムーズにトラップ入口５へ淀みなく速く流れ込ませることができ、トラップ入口５で
整流化できるものである。さらに、横幅があるため、トラップ入口５での汚物の詰まりも
起こらないのである。なお、略Ｄ形の断面形状において上方の角部を角ばらせることは、
流れ込む洗浄水の速度の速い断面上部部位の面積を増やすこととなり、好ましい形状と言
える。
【００２５】
なお、トラップ入口５の縦寸法ａは５０ｍｍ〜６０ｍｍの範囲に設定することが好まし
く、また、横幅寸法ｂは７０ｍｍ〜８５ｍｍの範囲に設定することが好ましい。
また、トラップ入口５は図８のような断面Ｄ形状に限定するものではなく、縦寸法より
も横幅寸法が大きい楕円形等の形状としても十分な効果が得られる。なお、断面楕円形よ
りも断面横長長方形のほうが効果が大であり、さらに断面横長長方形よりも断面略Ｄ形状
のほうが効果が大である。
また、このトラップ入口５の手前には、図１に示すように、トラップ入口５へ向かって
下向きに延びる導入通路５ａが設けられており、この導入通路５ａの内周面に沿って洗浄
水がトラップ排水路６内に流れ込む際に、洗浄水が絞られて整流化され、洗浄水の流れが
スムーズなものとなる。
なお、トラップ入口５の前でしっかり整流化され、さらに、扁平形状のトラップ入口５
で整流化できるため、洗浄水がトラップ排水路６内に整流のまま流れ込み、トラップ排水
路の上昇管６Ｐの縦寸法を大きくしても乱流が起き難く、スムーズに洗浄水の排出ができ
る。
【００２６】
また、図７，図８に示すように、トラップ入口５の手前にある導入通路５ａの形状は、
底面５ｂの両側にある立ち面５ｃとを繋ぐアール部が、断面方向の旋回流の流れが立ち面
５ｃから底面５ｂに向かう便器正面から見て左側のアール部５ｄの曲率半径を、底面５ｂ
から立ち面５ｃに向かうアール部５ｅの曲率半径より小さく設定してある。即ち、左側の
アール部５ｄの方が右側のアール部５ｅより曲率半径が小さく、緩やかな曲がり具合のア
ール面に形成されている。
なお、洗浄水は、鉢面３上で反時計回りの水平な旋回流を形成し、上傾面４ａから流れ
る洗浄水により縦方向の旋回流になり導入通路５ａ内に流入する。この時、左側のアール
部５ｄが緩やかな曲がり具合のアール面であるため、洗浄水は導入通路５ａ内にスムーズ
に流入する。導入通路５ａ内に流入した洗浄水は、曲率の大きい曲がり具合のきつい右側
のアール部５ｅから、直線的に立ち上がっている右側の立ち面５ｃに衝突してトラップ排
水路６の下流方向への流れに変化する。
このように導入通路５ａによって、便器の鉢面３内で旋回していた流れを、トラップ排
水路６下流方向の流れに変化させ整流化することができる。
【００２７】
なお、アール部５ｄ，５ｅは、管状の導入通路５ａに限らず、特許文献１に示すような
管状ではない導入通路においても、導入通路５ａ底面の下降傾斜面に同様な形状を設ける
ことにより、同じ整流効果を得ることができる。
また、旋回流が時計回りの場合は、導入通路５ａのアール部５ｄ，５ｅの形状は左右逆
向きの形状となる。
【００２８】
また、図１２は、図１のＫ−Ｋ線断面構成図である。
図１２に示すように、頂部６ａ手前のトラップ排水路６の断面形状は、横幅寸法ｂが７
７ｍｍに設定されており、縦寸法ｃは６２ｍｍに設定されている。即ち、図１２において
、トラップ排水路６の内周の上面側中央部が上側へ膨らませて形成されており、この上側
へ膨らんだ部分により汚物が回転し易いため、頂部６ａ付近で汚物の詰まりが発生し難い
ものとなる。
このように上面側中央部を膨らませて汚物回転用空間６ｂを形成したことにより、汚物
回転用空間６ｂ内で汚物が良好に回転して頂部６ａを超えて排水口７に落下することがで
きるものとなり、硬く長い汚物でも詰まることなく排出できるものとなる。
【００２９】
なお、汚物が良好に頂部６ａを超えることができれば良いため、良好に汚物が回転でき
る寸法として、縦寸法ｃは５３ｍｍ以上に設定することが好ましい。また、横幅寸法ｂは
７０ｍｍ〜８５ｍｍの範囲内に設定することが好ましい。
このように汚物が詰まらないようにして早期に排水ソケット８の絞り部８ａ（内径５３
ｍｍ）まで洗浄水を満水状態とさせて、早期にスムーズにサイフォンを起動させることが
でき、少ない水で良好に洗浄できるものとなる。
【００３０】
また、図９は、図１のＧ−Ｇ線断面図を示す。
この図９は、トラップ排水路６の頂部６ａの断面形状を示すものであり、この頂部６ａ
の下面は水平形状となっており、横幅寸法ｂは、トラップ入口５の横幅寸法と同じ７７ｍ
ｍに設定されている。
即ち、このトラップ排水路６の頂部６ａも下面は水平形状で横幅が広いものとなってお
り、トラップ排水路６内に押し込まれた洗浄水により、トラップ排水路６内の溜水面Ｗの
水位が頂部６ａよりも僅かに上方へ上昇すると、横幅寸法ｂが広く下面は水平なために大
量の水が勢いよく排水口７に向かって流れ落ちることとなり、速くサイフォンを起動させ
ることができるのである。
なお、一般的には、この頂部６ａの横幅寸法は５０ｍｍ〜６０ｍｍであるが、この横幅
寸法ｂは７５ｍｍ以上とするのが好ましい。
なお、図１において上昇管６Ｐの断面の縦寸法は、トラップ入口５から頂部６ａにかけ
て徐々に広がっていく形状となっているが、頂部６ａでの縦寸法は汚物の回転には支障は
ないため、図１２のＫ−Ｋ線断面より狭くしても良い。
【００３１】
なお、図１０は、図１のＩ−Ｉ線断面図であり、また、図１１は、図１のＪ−Ｊ線断面
構成図であり、排水口７の部分を示しており、この排水口７の部分の排水路は円形状に形
成されて、下端側は内径が５８ｍｍの絞られた形状となっている。
【００３２】
なお、図２のような溜水面Ｗの平面視形状が前後方向に長い略楕円形や、図６および図
７に示すような立ち面４の凸面状の形状や、図８のような横幅の広い扁平なトラップ入口
５の形状や、図１２のような汚物回転用空間６ｂを形成させたトラップ排水路６の断面形
状等は、サイフォン式水洗便器に限らず、サイフォンゼット式水洗便器や、水道直結式の
ダイレクトバルブ式便器や、サイフォン作用が生じない洗い落とし式便器に採用すること
もでき、汚物および洗浄水がトラップ入口５に集まりやすく、少ない水で洗浄できる構造
を確保することができるものとなる。
【実施例２】
【００３３】
次に、図１３〜図１８では、水洗便器における上昇管６Ｐの部分の変更例である第２実
施例を示す。
図１３は、図１におけるトラップ排水路６の上昇管６Ｐの拡大断面図であり、この図１
３におけるＬ−Ｌ断面は図１４に示し、Ｍ−Ｍ断面は図１５に示し、Ｎ−Ｎ断面は図１６
に示し、Ｏ−Ｏ断面は図１７に示し、Ｐ−Ｐ断面は図１８に示す。
【００３４】
即ち、図１４，図１５，図１６，図１７は、上昇管６Ｐにおける排水方向に対し直角の
断面形状を示している。また、図１８は、頂部６ａの上流側近傍の排水方向に対し直角の
断面形状を示している。
【００３５】
上昇管６Ｐの内周面には、底側の底面６１と、底面６１の左右において縦方向（上下方
向）に立ち上がる立ち面６２，６３と、立ち面６２，６３の上端の略山形状の上面６４，
６５，６６が連続して形成されている。
上面６４，６５，６６は、洗浄水の排水方向に対し直角方向の中央部に位置する上面中
央部６４から左右に下向きに上面傾斜部６５，６６が立ち面６２，６３に向かって形成さ
れており、図１４では、上面傾斜部６５，６６はトラップ排水路６内に膨出した湾曲の傾
斜状に形成されている。また、図１５，図１６，図１７では、上面傾斜部６５，６６は略
直線状に傾斜して形成されている。
また、図１８では、左右の立ち面６２，６３の高さが、中間部から頂部６ａ近傍の間で
最大となるような形状となっており、この図１８に示す上昇管６Ｐの上昇端の面積が最大
の面積となるように設定されている。
なお、上昇管６Ｐの上流端であるトラップ入口５の排水方向に対する直角の断面は、前
記図８に示したような断面形状となっており、トラップ排水路６の頂部６ａの断面形状は
、図９と同じ形状となっている。
【００３６】
なお、上昇管６Ｐ内で上流側から下流側に向かって排水方向に流れる洗浄水は、図１３
内の矢印ＷＳに沿って流れの速い水流となる。
即ち、トラップ入口５では、断面における縦方向の下側へ潜り込む洗浄水は流速が遅く
なり淀みが生じやすくなるが、トラップ入口５での断面における縦方向の上側では、水流
は潜らないために速い流速を維持して上昇管６Ｐ内に流入され、この速い水流は上昇管６
Ｐ内で頂部６ａに向かって流れるため、上昇管６Ｐの中間部から下流側の頂部６ａの手前
の上昇端に至る間では、断面における縦方向の下側、即ち底面６１側の水流の速度が速く
、断面における縦方向の上側で水流が遅くなり淀みが生じやすくなる。そのため、上昇管
６Ｐ内全体として水流の速度を良好に維持して洗浄水が圧損なくスムーズに流れるように
、図１４〜図１８に示したような断面形状に設定したものである。
【００３７】
前述したように、トラップ入口５では断面の縦方向中央より上側の洗浄水の流速が速い
ために、断面の縦方向中央より上側が下側より大きい面積となるように、図８のような形
状に形成されて速い流速を確保しており、トラップ入口５から上昇管６Ｐの中間部にかけ
ては、断面の縦方向中央より上側の面積を広くして、下側の面積は絞って狭くしてある。
また、上昇管６Ｐの中間部から下流側の頂部６ａの手前の上昇端にかけては、断面の縦
方向中央より下側の洗浄水の流速が速いために、断面の縦方向中央より下側が上側より大
きい面積となるように、断面の縦方向中央より下側の面積を広くして、上側の面積は絞っ
て狭くしてある（図１４，図１５，図１６，図１７，図１８参照）。
【００３８】
このように、上昇管６Ｐ内における速い流れの水流ＷＳの通る面積を広くして、逆に他
の部分の面積を絞り、淀みを無くしてスムーズに洗浄水が流れるように形成されている。
即ち、図１４〜図１８では、断面の縦方向中央より下側が上側より大きい面積となるよ
うに、上面中央部６４から左右に下向きに上面傾斜部６５，６５を形成して、上側の面積
を狭めたのである。
また、この部分では底面６１側は洗浄水の排水方向に対し直角方向に延びる略平坦面に
形成されて、この底面６１に沿って早い水流が大量に流れるように設定したのである。
【００３９】
また、図１８に示すように、上昇管６Ｐの上昇端では立ち面６２，６３の高さを高くし
て、この部分の面積を広げて汚物が回転しやすいように設定したものであり、この部分で
の汚物の詰まりを確実に防ぐことができるものとなる。
なお、図１８においても上面側は略山形状に絞ってあり、上面側での洗浄水の流速は高
まり、良好に汚物の詰まりを無くすることができるものである。
【符号の説明】
【００４０】
１…サイフォン式水洗便器
２…便器本体
３…鉢面
３ａ…凹部
４…立ち面
４ａ…上傾面（アール部）
５…トラップ入口
５ａ…導入通路
６…トラップ排水路
６Ｐ…トラップ排水路の上昇管
６ａ…頂部
６ｂ…汚物回転用空間
７…排水口
８…排水ソケット
８ａ…絞り部
９…リム
９ａ…リム通水路
１０…分配器
１０ａ…第１流出口
１０ｂ…第２流出口
１１ａ…第１吐水口
１１ｂ…第２吐水口
１２…洗浄段
６１…底面
６２，６３…立ち面
６４…上面中央部
６５，６６…上面傾斜部
Ｗ…溜水面
Ｒ…アール部
Ｐ…最大幅位置
【図１】
2015158128.tif 000003
【図２】
2015158128.tif 000004
【図３】
2015158128.tif 000005
【図４】
2015158128.tif 000006
【図５】
2015158128.tif 000007
【図６】
2015158128.tif 000008
【図７】
2015158128.tif 000009
【図８】
2015158128.tif 000010
【図９】
2015158128.tif 000011
【図１０】
2015158128.tif 000012
【図１１】
2015158128.tif 000013
【図１２】
2015158128.tif 000014
【図１３】
2015158128.tif 000015
【図１４】
2015158128.tif 000016
【図１５】
2015158128.tif 000017
【図１６】
2015158128.tif 000018
【図１７】
2015158128.tif 000019
【図１８】
2015158128.tif 000020
【手続補正書】
【提出日】平成27年6月3日(2015.6.3)
【手続補正１】
【補正対象書類名】特許請求の範囲
【補正対象項目名】全文
【補正方法】変更
【補正の内容】
【特許請求の範囲】
【請求項１】
最も深い位置で水平方向に開口したトラップ入口から下流側へ向かって上傾したトラップ排水路を有する水洗式便器において、
前記トラップ入口は、縦寸法よりも横幅寸法が大きい形状に開口し、上方の角部が下方に比べて角ばり、全体として略Ｄ形状になっており、
前記トラップ排水路の上傾した上昇管は、頂部の上流側近傍における洗浄水の排水方向に対し直角の断面の縦寸法及び断面積が、前記トラップ入口における洗浄水の排水方向に対し直角の断面の縦寸法及び断面積よりも大きく、かつ前記頂部の上流側近傍において、底壁の左右両側から縦方向に立ち上がる立壁を備えていることを特徴とする水洗式便器。
【請求項２】
前記上昇管は頂部の上流側近傍における洗浄水の排水方向に対して直角の断面の縦寸法が横寸法よりも大きいことを特徴とする請求項１に記載の水洗式便器。
【請求項３】
前記上昇管は前記頂部の上流側近傍における洗浄水の排水方向に対して直角の断面の横寸法が７０ｍｍ〜８５ｍｍであることを特徴とする請求項１または請求項２に記載の水洗式便器。
【手続補正２】
【補正対象書類名】明細書
【補正対象項目名】０００５
【補正方法】変更
【補正の内容】
【０００５】
本発明は、汚物の詰まりを防ぎ、スムーズに洗浄できる水洗式便器の提供を目的とし、この目的の少なくとも一部を達成するために以下の手段を採った。
本発明は、最も深い位置で水平方向に開口したトラップ入口から下流側へ向かって上傾したトラップ排水路を有する水洗式便器において、
前記トラップ入口は、縦寸法よりも横幅寸法が大きい形状に開口し、上方の角部が下方に比べて角ばり、全体として略Ｄ形状になっており、
前記トラップ排水路の上傾した上昇管は、頂部の上流側近傍における洗浄水の排水方向に対し直角の断面の縦寸法及び断面積が、前記トラップ入口における洗浄水の排水方向に対し直角の断面の縦寸法及び断面積よりも大きく、かつ前記頂部の上流側近傍において、底壁の左右両側から縦方向に立ち上がる立壁を備えていることを要旨とする。
【手続補正３】
【補正対象書類名】明細書
【補正対象項目名】０００６
【補正方法】削除
【補正の内容】
【手続補正４】
【補正対象書類名】明細書
【補正対象項目名】０００７
【補正方法】変更
【補正の内容】
【０００７】
また、本発明の水洗式便器において、前記上昇管は頂部の上流側近傍における洗浄水の排水方向に対して直角の断面の縦寸法が横寸法よりも大きくすることもできる。
【手続補正５】
【補正対象書類名】明細書
【補正対象項目名】０００８
【補正方法】変更
【補正の内容】
【０００８】
また、本発明の水洗式便器において、前記上昇管は前記頂部の上流側近傍における洗浄水の排水方向に対して直角の断面の横寸法が７０ｍｍ〜８５ｍｍであることもできる。
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】削除
【補正の内容】
【手続補正１２】
【補正対象書類名】明細書
【補正対象項目名】００２１
【補正方法】変更
【補正の内容】
【００２１】
図３および図４に示すように、便器本体２内の前側の鉢面３の平面視幅方向中央部には、下方側へ凹ませて凹部３ａが形成され、凹部３ａの平面視幅方向両端には、凸状の凸部３ｂが連続して形成され洗浄段１２に至っている。なお、凸部３ｂは凹部３ａよりも曲率半径が大きく設定されている。
凹部３ａは、後方側（立ち面４側）へ向かって徐々に深さを増して傾斜しており、この凹部３ａにより、鉢面３上での小便の跳ね返りを良好に防げるように構成されている。また、この凹部３ａにより、鉢面３上の洗浄水の旋回が早期に止められ、洗浄水は凹部３ａに沿って立ち面４側へ流れ込むこととなる。
【手続補正１３】
【補正対象書類名】明細書
【補正対象項目名】００２２
【補正方法】変更
【補正の内容】
【００２２】
図１および図５〜図７に示す立ち面４は、下方側へ向かって垂直状あるいは溜水面Ｗ側へ膨らんだ凸面状に形成されており、立ち面４の全周が垂直状または溜水面Ｗ側へ膨らむ凸面状となっている。即ち、立ち面４は溜水面Ｗの外周に立ち上げられており、鉢面３上を旋回する洗浄水を早期にこの立ち面４に沿って流下させ、洗浄水を速くトラップ入口５に向かわせるように構成されており、この立ち面４により、汚物を外側へ広がることなく、速くトラップ入口５に集めることができる。
なお、立ち面４の上部には全周に亘って、立ち面４に向かって湾曲凸面状のアール部Ｒが形成され、便器後部の上傾面４ａもアール部Ｒの一部となっている。
このアール部Ｒの曲率半径は上傾面４ａが最も大きくなっている。即ち、便器の後部では、第２吐水口１１ｂからの洗浄水をトラップ入口５に向かって流れ落とすために曲率半径は大きい方が良いからである。一方、便器の前部では、アール部Ｒの曲率半径は小さいため、立ち面４内に落ちた旋回流が再び立ち面４を登り外側に広がるのを防いで、洗浄水を速くトラップ入口５に向かわせるようにしてある。
【手続補正１４】
【補正対象書類名】明細書
【補正対象項目名】００２３
【補正方法】変更
【補正の内容】
【００２３】
立ち面４内の溜水面Ｗの平面視形状は、図２に示すように、前後方向に長い略楕円形となっている。
なお、この溜水面Ｗの平面視形状において前方側の曲率半径Ｒ２が最も小さく設定されており、この曲率半径Ｒ２が小さい前方部の左右側の立ち面４で洗浄水を跳ね返して、洗浄水をトラップ入口５に向かわせるように構成されている。
また、溜水面Ｗの前後方向中央よりも前側に、平面視最大横幅を有するＰ点が存在するように設定されており、鉢面３から立ち面４に沿って溜水面Ｗに流れ落ちる洗浄水が、曲率半径Ｒ２が小さい前方側の部分で跳ね返されて、Ｐ点以降は後方のトラップ入口５に近づくにつれて速度を増して集められるように構成されている。これにより、トラップ入口５に洗浄水および汚物が速く流れ込むこととなり、少ない洗浄水で汚物をトラップ入口５に集めてサイフォンを速く起動させることができる。
【手続補正１５】
【補正対象書類名】明細書
【補正対象項目名】００２６
【補正方法】変更
【補正の内容】
【００２６】
また、図７，図８に示すように、トラップ入口５の手前にある導入通路５ａの形状は、底面５ｂの両側にある立ち面５ｃとを繋ぐアール部が、断面方向の旋回流の流れが立ち面５ｃから底面５ｂに向かう便器正面から見て左側のアール部５ｄの曲率半径を、底面５ｂから立ち面５ｃに向かうアール部５ｅの曲率半径より大きく設定してある。即ち、左側のアール部５ｄの方が右側のアール部５ｅより曲率半径が大きく、緩やかな曲がり具合のアール面に形成されている。
なお、洗浄水は、鉢面３上で反時計回りの水平な旋回流を形成し、上傾面４ａから流れる洗浄水により縦方向の旋回流になり導入通路５ａ内に流入する。この時、左側のアール部５ｄが緩やかな曲がり具合のアール面であるため、洗浄水は導入通路５ａ内にスムーズに流入する。導入通路５ａ内に流入した洗浄水は、曲率の大きい曲がり具合のきつい右側のアール部５ｅから、直線的に立ち上がっている右側の立ち面５ｃに衝突してトラップ排水路６の下流方向への流れに変化する。
このように導入通路５ａによって、便器の鉢面３内で旋回していた流れを、トラップ排水路６下流方向の流れに変化させ整流化することができる。
【手続補正１６】
【補正対象書類名】明細書
【補正対象項目名】００２９
【補正方法】変更
【補正の内容】
【００２９】
なお、横幅寸法ｂは７０ｍｍ〜８５ｍｍの範囲内に設定することが好ましい。
このように汚物が詰まらないようにして早期に排水ソケット８の絞り部８ａ（内径５３ｍｍ）まで洗浄水を満水状態とさせて、早期にスムーズにサイフォンを起動させることができ、少ない水で良好に洗浄できるものとなる。